【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
ハンドヘルドスタイラスであって、
ハンドヘルド本体と、
前記本体と連結されるか、またはそれと一体である、外側リングと、
前記外側リングの内側で半径方向に配列された先端であって、前記先端は、前記外側リングに対して移動可能であるように前記外側リングから離間されており、前記先端は、前記先端に印加される力に応答して前記先端が前記外側リングに対して移動可能であるように、前記本体に移動可能に連結されている、先端と、
前記外側リングと前記先端との間で画定された複数の容量センサであって、前記複数の容量センサは、前記先端に印加される力を通して前記先端と前記外側リングとの間の距離が変化するときに、前記先端と前記外側リングとの間の相対移動を検出するように構成されている、複数の容量センサと
を備える、ハンドヘルドスタイラス。
【請求項２】
前記外側リングに固着されるか、またはそれと一体である、少なくとも１つの第１の伝導性要素であって、前記少なくとも１つの第１の伝導性要素は、少なくとも部分的に前記リングの円周の周囲に位置している、少なくとも１つの第１の伝導性要素と、
前記移動可能な先端に固着されるか、またはそれと一体である、複数の第２の伝導性要素であって、前記複数の第２の伝導性要素は、少なくとも部分的に前記先端の円周の周囲に位置している、複数の第２の伝導性要素と
を備え、
前記先端は、前記少なくとも１つの第１の伝導性要素および前記複数の第２の伝導性要素が相互から離間されているように配列され、
前記複数の容量センサは、それぞれ、前記少なくとも１つの第１の伝導性要素および前記複数の第２の伝導性要素によって形成され、
前記複数の容量センサは、それぞれ、前記本体に対する前記先端の移動によって引き起こされる、前記少なくとも１つの第１の伝導性要素と前記複数の第２の伝導性要素との間のそれぞれの距離の変化を検出するように構成されている、請求項１に記載のハンドヘルドスタイラス。
【請求項３】
前記先端に固着されるか、またはそれと一体である、少なくとも１つの第１の伝導性要素であって、前記少なくとも１つの第１の伝導性要素は、少なくとも部分的に前記先端の円周の周囲に位置している、少なくとも１つの第１の伝導性要素と、
前記外側リングに固着されるか、またはそれと一体である、複数の第２の伝導性要素であって、前記複数の第２の伝導性要素は、少なくとも部分的に前記外側リングの円周の周囲に位置している、複数の第２の伝導性要素と
を備え、
前記先端は、前記少なくとも１つの第１の伝導性要素および前記複数の第２の伝導性要素が相互から離間されているように配列され、
前記複数の容量センサは、それぞれ、前記少なくとも１つの第１の伝導性要素および前記複数の第２の伝導性要素によって形成され、
前記複数の容量センサは、それぞれ、前記本体に対する前記先端の移動によって引き起こされる、前記少なくとも１つの第１の伝導性要素と前記複数の第２の伝導性要素との間のそれぞれの距離の変化を検出するように構成されている、請求項１に記載のハンドヘルドスタイラス。
【請求項４】
前記第１の伝導性要素は、少なくとも部分的に、前記先端の円周または前記外側リングの内側表面の周囲に延在する単一の第１の伝導性要素である、請求項１に記載のハンドヘルドスタイラス。
【請求項５】
単一の第１の伝導性要素は、接地と連結されることができる、請求項３に記載のハンドヘルドスタイラス。
【請求項６】
前記先端は、前記スタイラス本体の軸方向に略沿った前記先端の軸方向移動を可能にするように、前記本体に移動可能に連結され、前記複数の容量センサは、前記先端の前記軸方向移動を検出するように構成されている、請求項１に記載のハンドヘルドスタイラス。
【請求項７】
前記先端は、可撓性ロッドを通して前記本体に移動可能に連結され、それは、前記スタイラス本体の軸方向に略沿った前記先端の軸方向移動を可能し、前記ハンドヘルドスタイラスは、前記ロッドに連結され、前記先端の前記軸方向移動を検出するように構成されている容量力センサをさらに備える、請求項１に記載のハンドヘルドスタイラス。
【請求項８】
前記スタイラスは、表示デバイス上でマーキングを生成するために構成され、
前記スタイラスは、制御電子機器を備え、
前記制御電子機器は、
前記スタイラスの前記複数の容量センサのうちの少なくとも１つから信号を受信することと、
前記複数の容量センサのうちの前記少なくとも１つから受信される前記信号に基づいて、前記表示デバイス上に生成される前記マーキングの視覚パラメータを制御するための信号を生成することと
を行うように構成されている、請求項１に記載のハンドヘルドスタイラス。
【請求項９】
前記制御電子機器は、前記複数の容量センサのうちの前記少なくとも１つから受信される前記信号に基づいて、前記表示デバイス上に生成される線の幅を制御するための信号を生成するように構成されている、請求項８に記載のハンドヘルドスタイラス。
【請求項１０】
前記制御電子機器は、前記複数の容量センサのうちの前記少なくとも１つから受信される前記信号に基づいて、前記表示デバイス上に生成される線の色または色調を制御するための信号を生成するように構成されている、請求項８または９に記載のハンドヘルドスタイラス。
【請求項１１】
前記制御電子機器は、
前記複数の容量センサから受信される前記信号に基づいて、前記表示デバイスに対する前記スタイラスの角度を計算することと、
前記スタイラスの前記計算された角度に基づいて、前記表示デバイス上に生成される前記マーキングの前記視覚パラメータを制御するために、前記スタイラスの前記計算された角度を前記表示デバイスに伝達することと
を行うように構成されている、請求項８に記載のハンドヘルドスタイラス。
【請求項１２】
制御電子機器は、
前記複数の容量センサまたは容量力センサから受信される信号に基づいて、前記スタイラス先端への力の規模を計算することと、
前記スタイラス先端への前記計算された力に基づいて、表示デバイス上に生成されるマーキングの視覚パラメータを制御するために、前記スタイラス先端への前記計算された力を前記表示デバイスに伝達することと
を行うように構成されている、請求項１に記載のハンドヘルドスタイラス。
【請求項１３】
前記スタイラスと表示デバイスとの間の相互作用中に、前記複数の容量センサから受信される信号に基づいて、データ信号を生成するように構成されている、電子機器と、
前記スタイラスに組み込まれ、リアルタイムで前記データ信号を前記表示デバイスに伝達するように構成されている、通信システムと
を備える、請求項１に記載のハンドヘルドスタイラス。
【請求項１４】
前記スタイラスの前記組み込まれた通信システムは、前記スタイラス先端と前記表示デバイスとの間の容量結合を制御することによって、前記データ信号を前記表示デバイスに伝達するように構成されている、請求項１３に記載のハンドヘルドスタイラス。
【請求項１５】
システムであって、
表示デバイスと、
請求項１〜１４のうちの１項に記載のハンドヘルドスタイラスと、
制御電子機器であって、前記制御電子機器は、
前記スタイラスの前記複数の容量センサのうちの少なくとも１つから信号を受信することと、
前記複数の容量センサのうちの前記少なくとも１つから受信される前記信号に基づいて、前記表示デバイス上に生成されるマーキングの視覚パラメータを制御するための信号を生成することと
を行うように構成されている、制御電子機器と
を備える、システム。
【手続補正２】
【補正対象書類名】明細書
【補正対象項目名】０００９
【補正方法】変更
【補正の内容】
【０００９】
別の実施形態は、表示デバイスと、表示デバイス上でマーキングを生成するために表示デバイスと相互作用するように構成される、ハンドヘルドスタイラスとを含む、システムを提供する。スタイラスは、ハンドヘルド本体と、本体に固定されるか、またはそれと一体的である、外側リングと、外側リング内に配列され、それから離間される、先端であって、先端に印加される力に応答して、先端が外側リングに対して移動可能であるように、本体に移動可能に連結される、先端と、外側リングと先端との間で画定され、先端と外側リングとの間の相対移動を検出するように構成される、少なくとも１つの容量センサと、スタイラスの少なくとも１つの容量センサから信号を受信し、少なくとも１つの容量センサから受信される信号に基づいて、表示デバイス上に生成されるマーキングの視覚パラメータを制御するための信号を生成するように構成される、制御電子機器とを含んでもよい。
本願明細書は、例えば、以下の項目も提供する。
（項目１）
ハンドヘルド本体と、
前記本体に移動可能に連結される先端と、
前記本体に対する前記先端の移動を検出するように構成される、少なくとも１つの容量センサと
を備える、ハンドヘルドスタイラス。
（項目２）
前記本体に固着されるか、またはそれと一体である、少なくとも１つの第１の伝導性要素と、
可動先端に固着されるか、またはそれと一体である、少なくとも１つの第２の伝導性要素と
を備え、
前記先端は、前記少なくとも１つの第１の伝導性要素および前記少なくとも１つの第２の伝導性要素が相互から離間されるように配列され、
前記少なくとも１つの容量センサおよび前記少なくとも１つの第１の伝導性要素は、前記少なくとも１つの容量センサを画定するように配列され、
前記少なくとも１つの容量センサは、前記本体に対する前記先端の移動によって引き起こされる、前記少なくとも１つの第１の伝導性要素と前記少なくとも１つの第２の伝導性要素との間のそれぞれの距離の変化を検出するように構成される、
項目１に記載のハンドヘルドスタイラス。
（項目３）
前記本体に連結されるか、またはそれと一体である、リングを備え、
前記少なくとも１つの第１の伝導性要素は、少なくとも部分的に前記リングの円周の周囲に位置し、
前記少なくとも１つの第２の伝導性要素は、少なくとも部分的に前記先端の円周の周囲に位置する、
項目２に記載のハンドヘルドスタイラス。
（項目４）
少なくとも部分的に前記リングの前記円周の周囲に延在する、単一の第１の伝導性要素であって、前記単一の第１の伝導性要素は、接地されている、単一の第１の伝導性要素と、
前記先端の前記円周の周囲に配列される、複数の第２の伝導性要素と
を備える、項目３に記載のハンドヘルドスタイラス。
（項目５）
前記リングの前記円周の周囲に配列される、複数の第１の伝導性要素と、
少なくとも部分的に前記先端の前記円周の周囲に延在する、単一の第２の伝導性要素であって、前記単一の第２の伝導性要素は、接地されている、単一の第２の伝導性要素と
を備える、項目３に記載のハンドヘルドスタイラス。
（項目６）
前記先端は、前記リングの内側で半径方向に配列され、前記リングに対して移動可能である、項目３に記載のハンドヘルドスタイラス。
（項目７）
前記先端は、スタイラス本体の軸方向と略垂直な前記先端の側方移動を可能にするように、前記本体に移動可能に連結され、前記少なくとも１つの容量センサは、前記先端の前記側方移動を検出するように構成される、項目１に記載のハンドヘルドスタイラス。
（項目８）
前記先端は、スタイラス本体の軸方向に略沿った前記先端の軸方向移動を可能にするように、前記本体に移動可能に連結され、前記少なくとも１つの容量センサは、前記先端の前記軸方向移動を検出するように構成される、項目１に記載のハンドヘルドスタイラス。
（項目９）
前記スタイラス本体の前記軸方向に沿って相互からオフセットされる、少なくとも２つの容量センサを備える、項目８に記載のハンドヘルドスタイラス。
（項目１０）
前記先端は、（ａ）スタイラス本体の軸方向と略垂直な前記先端の側方移動、および（ｂ）前記スタイラス本体の前記軸方向に略沿った前記先端の軸方向移動の両方を可能にするように、前記本体に移動可能に連結され、前記少なくとも１つの容量センサは、（ａ）前記先端の前記側方移動および（ｂ）前記先端の前記軸方向移動の両方を検出するように構成される、項目１に記載のハンドヘルドスタイラス。
（項目１１）
前記スタイラスは、表示デバイス上でマーキングを生成するために構成され、
前記スタイラスは、制御電子機器を備え、
前記制御電子機器は、
前記スタイラスの前記少なくとも１つの容量センサから信号を受信することと、
前記少なくとも１つの容量センサから受信される前記信号に基づいて、前記表示デバイス上に生成される前記マーキングの視覚パラメータを制御するための信号を生成することと
を行うように構成される、項目１に記載のハンドヘルドスタイラス。
（項目１２）
前記制御電子機器は、前記少なくとも１つの容量センサから受信される前記信号に基づいて、前記表示デバイス上に生成される線の幅を制御するための信号を生成するように構成される、項目１１に記載のハンドヘルドスタイラス。
（項目１３）
前記制御電子機器は、前記少なくとも１つの容量センサから受信される前記信号に基づいて、前記表示デバイス上に生成される線の色または色調を制御するための信号を生成するように構成される、項目１１に記載のハンドヘルドスタイラス。
（項目１４）
前記制御電子機器は、
前記少なくとも１つの容量センサから受信される前記信号に基づいて、前記表示デバイスに対する前記スタイラスの角度を計算することと、
前記スタイラスの前記計算された角度に基づいて、前記表示デバイス上に生成される前記マーキングの前記視覚パラメータを制御するために、前記スタイラスの前記計算された角度を前記表示デバイスに伝達することと
を行うように構成される、項目１１に記載のハンドヘルドスタイラス。
（項目１５）
前記制御電子機器は、
前記少なくとも１つの容量センサから受信される前記信号に基づいて、スタイラス先端への力の規模を計算することと、
前記スタイラス先端への前記計算された力に基づいて、前記表示デバイス上に生成される前記マーキングの前記視覚パラメータを制御するために、前記スタイラス先端への前記計算された力を前記表示デバイスに伝達することと
を行うように構成される、項目１１に記載のハンドヘルドスタイラス。
（項目１６）
前記スタイラスと表示デバイスとの間の相互作用中に、前記少なくとも１つの容量センサから受信される信号に基づいて、データ信号を生成するように構成される、電子機器と、
前記スタイラスに組み込まれ、リアルタイムで前記データ信号を前記表示デバイスに伝達するように構成される、通信システムと
を備える、項目１に記載のハンドヘルドスタイラス。
（項目１７）
前記スタイラスの統合通信システムは、スタイラス先端と前記表示デバイスとの間の容量結合を制御することによって、前記データ信号を前記表示デバイスに伝達するように構成される、項目１６に記載のハンドヘルドスタイラス。
（項目１８）
ハンドヘルド本体と、
前記本体と一体的に連結される、外側リングと、
前記外側リング内に配列され、それから離間される、先端であって、前記先端は、前記先端に印加される力に応答して、前記先端が前記外側リングに対して移動可能であるように、前記本体に移動可能に連結される、先端と、
前記外側リングと前記先端との間で画定される、少なくとも１つの容量センサであって、前記少なくとも１つの容量センサは、前記先端と前記外側リングとの間の相対移動を検出するように構成される、少なくとも１つの容量センサと
を備える、ハンドヘルドスタイラス。
（項目１９）
前記本体に固着される第１の端部と、前記先端に固着される第２の端部とを有する、伸長部材であって、前記伸長部材は、前記先端に印加される前記力に応答して屈曲するように構成される、伸長部材を備える、項目１８に記載のハンドヘルドスタイラス。
（項目２０）
前記先端は、変形可能形態要素を備える、項目１８に記載のハンドヘルドスタイラス。
（項目２１）
前記外側リングは、接地され、前記先端は、前記先端の周辺に配列され、前記外側リングから離間される、少なくとも１つの容量センサ要素を含み、前記少なくとも１つの容量センサ要素および前記接地した外側リングは、相互作用して前記少なくとも１つの容量センサを画定するように構成される、項目１８に記載のハンドヘルドスタイラス。
（項目２２）
前記先端は、前記先端の前記周辺に配列され、前記接地した外側リングと相互作用して複数の容量センサを画定するように構成される、複数の伝導性容量センサ要素を含む、項目２１に記載のハンドヘルドスタイラス。
（項目２３）
前記先端は、接地され、前記外側リングは、前記外側リングから離間され、前記接地した先端と相互作用して前記少なくとも１つの容量センサを画定するように構成される、少なくとも１つの容量センサ要素を含む、項目１８に記載のハンドヘルドスタイラス。
（項目２４）
前記外側リングは、前記外側リングの周辺に配列され、前記接地した先端と相互作用して複数の容量センサを画定するように構成される、複数の伝導性容量センサ要素を含む、項目２３に記載のハンドヘルドスタイラス。
（項目２５）
表示デバイスと、
前記表示デバイス上でマーキングを生成するために前記表示デバイスと相互作用するように構成される、ハンドヘルドスタイラスであって、
ハンドヘルド本体と、
前記本体に移動可能に連結される先端と、
前記本体に対する前記先端の移動を検出するように構成される、少なくとも１つの容量センサと
を備える、スタイラスと、
制御電子機器であって、
前記スタイラスの前記少なくとも１つの容量センサから信号を受信することと、
前記少なくとも１つの容量センサから受信される前記信号に基づいて、前記表示デバイス上に生成されるマーキングの視覚パラメータを制御するための信号を生成することと
を行うように構成される、制御電子機器と
を備える、システム。
（項目２６）
前記スタイラスは、
前記本体に固着されるか、またはそれと一体である、少なくとも１つの第１の伝導性要素と、
可動先端に固着されるか、またはそれと一体である、少なくとも１つの第２の伝導性要素と
を備え、
前記先端は、前記少なくとも１つの第１の伝導性要素および前記少なくとも１つの第２の伝導性要素が相互から離間されるように配列され、
前記少なくとも１つの容量センサおよび前記少なくとも１つの第１の伝導性要素は、前記少なくとも１つの容量センサを画定するように配列され、
前記少なくとも１つの容量センサは、前記本体に対する前記先端の移動によって引き起こされる、前記少なくとも１つの第１の伝導性要素と前記少なくとも１つの第２の伝導性要素との間のそれぞれの距離の変化を検出するように構成される、項目２５に記載のシステム。
（項目２７）
前記スタイラスは、前記本体に連結されるか、またはそれと一体である、リングを備え、
前記少なくとも１つの第１の伝導性要素は、少なくとも部分的に前記リングの円周の周囲に位置し、
前記少なくとも１つの第２の伝導性要素は、少なくとも部分的に前記先端の円周の周囲に位置する、
項目２６に記載のシステム。
（項目２８）
前記制御電子機器は、前記少なくとも１つの容量センサから受信される前記信号に基づいて、前記表示デバイス上に生成される線の幅を制御するための信号を生成するように構成される、項目２５に記載のシステム。
（項目２９）
前記制御電子機器は、前記少なくとも１つの容量センサから受信される前記信号に基づいて、前記表示デバイス上に生成される線の色または色調を制御するための信号を生成するように構成される、項目２５に記載のシステム。
（項目３０）
前記制御電子機器は、
前記少なくとも１つの容量センサから受信される前記信号に基づいて、前記表示デバイスに対する前記スタイラスの角度を判定することと、
前記表示デバイスに対する前記スタイラスの前記判定された角度に基づいて、前記表示デバイス上に生成される前記マーキングの前記視覚パラメータを制御するための信号を生成することと
を行うように構成される、項目２５に記載のシステム。
（項目３１）
前記制御電子機器は、
前記少なくとも１つの容量センサから受信される前記信号に基づいて、前記スタイラスと前記表示デバイスとの間の力の規模を判定することと、
前記スタイラスと前記表示デバイスとの間の前記判定された力の規模に基づいて、前記表示デバイス上に生成される前記マーキングの前記視覚パラメータを制御するための信号を生成することと
を行うように構成される、項目２５に記載のシステム。